(57)【要約】【課題】ＮＤフィルタを内蔵するシステムにおいて、ユーザの指示によって自在にＮＤフィルタを光路内に挿入すると、挿入したＮＤフィルタの減光効果分ファインダー内が暗くなってしまい、構図が確認し難くなる。【解決手段】光軸中に挿抜可能なＮＤフィルタと、前記ＮＤフィルタの使用を有無を指示する選択スイッチと、２段ストロークスイッチを具備し、前記ストロークスイッチの１段目において測光制御を行い、２段目において前記測光制御によって得られた測光情報をもとに露光動作を行う撮像装置において、前記選択スイッチがＮＤフィルタの使用状態に指示された場合、前記測光制御においてＮＤフィルタの挿入は行わずに、現在の測光値に前記ＮＤフィルタの減光効果を加味した測光情報の表示を行い、前記露光動作の前に前記ＮＤフィルタを挿入し、前記露光動作の終了時にＮＤフィルタを抜出する構成とした。【選択図】図１
2016014797.tif 000002
【特許請求の範囲】
【請求項１】
光軸中に挿抜可能なＮＤフィルタと、前記ＮＤフィルタの使用を有無を指示する選択スイッチと、２段ストロークスイッチを具備し、前記ストロークスイッチの１段目において測光制御を行い、２段目において前記測光制御によって得られた測光情報をもとに露光動作を行う撮像装置において、
前記選択スイッチがＮＤフィルタの使用状態に指示された場合、前記測光制御においてＮＤフィルタの挿入は行わずに、現在の測光値に前記ＮＤフィルタの減光効果を加味した測光情報の表示を行い、前記露光動作の前に前記ＮＤフィルタを挿入し、前記露光動作の終了時にＮＤフィルタを抜出することを特徴とする撮像装置。
【請求項２】
前記ＮＤフィルタの選択スイッチが、ＮＤフィルタを使用しないＯＦＦモードと、常時ＮＤフィルタを使用するＯＮモードと、露光中のみＯＮするモードを選択可能で、ＯＮモードが選択された場合はＮＤフィルタを光路内へ挿入し、露光中のみＯＮするモードが選択されたときには、露光動作の前にＮＤフィルタを挿入し、露光動作の終了時に抜出すことを特徴とする請求項１に記載の撮像装置。
【請求項３】
カメラが連写撮影モードで連写撮影を行っている間は、ＮＤフィルタの動作モードが露光中のみＯＮに指示されていたとしても、ＮＤフィルタの抜出を行わずに、連写撮影が終了した時にＮＤフィルタを光路外へ抜出することを特徴とする請求項２に記載の撮像装置。
【発明の詳細な説明】
【技術分野】
【０００１】
本発明は、撮像装置、特に光路内に挿抜可能なＮＤフィルターを配置したレンズ交換式一眼レフカメラの制御に関するものである。
【背景技術】
【０００２】
被写体の動きを表現するためにシャッター速度を遅く設定したり、効果的なボケを得るために絞りを開けたりする際に、入射する光量を減光させるＮＤフィルターが用いられる。さらに、利便性向上のために交換レンズ内にＮＤフィルターを内蔵したものが知られている（特許文献１）。
【先行技術文献】
【特許文献】
【０００３】
【特許文献１】特開平９−３３１４７４号公報
【発明の概要】
【発明が解決しようとする課題】
【０００４】
特許文献１に記載のように、ユーザの指示によって自在にＮＤフィルタを光路内に挿入すると、挿入したＮＤフィルタの減光効果分ファインダー内が暗くなってしまい、構図が確認し難くなるという問題がある。
【課題を解決するための手段】
【０００５】
上記問題を解決する手段として、光軸中に挿抜可能なＮＤフィルタと、前記ＮＤフィルタの使用を有無を指示する選択スイッチと、２段ストロークスイッチを具備し、前記ストロークスイッチの１段目において測光制御を行い、２段目において前記測光制御によって得られた測光情報をもとに露光動作を行う撮像装置において、前記選択スイッチがＮＤフィルタの使用状態に指示された場合、前記測光制御においてＮＤフィルタの挿入は行わずに、現在の測光値に前記ＮＤフィルタの減光効果を加味した測光情報の表示を行い、前記露光動作の前に前記ＮＤフィルタを挿入し、前記露光動作の終了時にＮＤフィルタを抜出する構成とした。
【発明の効果】
【０００６】
本発明によれば、ユーザによりＮＤフィルタの使用が指示されたとしても、露光動作時にのみＮＤフィルタが挿入されるために、ファインダー内が暗くなり構図が確認し難くなる事を防ぐ事ができる。また、ＮＤフィルタが実際に挿入される前に、ＮＤフィルタの減光効果を加味した測光情報の表示を行うため、ユーザはファインダー内の絞り値やシャッター速度等の表記をみてＮＤフィルタの効果を把握する事が出来る。
【図面の簡単な説明】
【０００７】
【図１】本発明の構成図
【図２】実施例１のレンズ側動作を示すフローチャート
【図３】実施例１のカメラ側動作を示すフローチャート
【図４】実施例２のレンズ側動作を示すフローチャート
【図５】実施例２のカメラから送信される情報のタイミング図
【発明を実施するための形態】
【０００８】
以下に、本発明の好ましい実施の形態を、添付の図面に基づいて詳細に説明する。図１は、本発明の実施形態にかかわるカメラシステムの構成である。
【０００９】
（実施例１）
以下、図１を参照して、本発明の実施例１による、カメラシステムの構成について説明する。カメラシステムはカメラ本体１０１と交換レンズ１０２とからなる。被写体からの撮影光束は交換レンズ１０２の撮影光学系を通り、撮影準備中は中央部分がハーフミラーとなっているクイックリターン主ミラー１０３で一部が反射され、ペンタプリズム１０４において正立像となる。撮影者はこの正立像を光学ファインダー１０５において被写体像として確認することができる。
【００１０】
１０６は測光回路であり、不図示のピント板面上の照度を測定して、その測定結果をカメラシステム制御用ＭＰＵ１０７に入力する。カメラシステム制御用ＭＰＵ１０７は露光時間、絞りなどの撮影条件を決定する。測光回路１０６内の測光センサは、複数のエリアに分割されており、エリアごとの測光結果を得ることができる。
【００１１】
１０８はサブミラーであり、クイックリターン主ミラー１０３の裏面に配置されており、クイックリターン主ミラー１０３のハーフミラー面を通過した光束を測距手段１０９に入射させる。測距手段１０９は入射した光束を光電変換及び信号処理して測距データを作成し、カメラシステム制御用ＭＰＵ１０７に入力する。
【００１２】
撮影動作に入ると、クイックリターン主ミラー１０３及びサブミラー１０８はペンタプリズム１０４側へ退避し、フォーカルプレーンシャッター１１０がシャッター駆動回路１１１により駆動される。すると、撮影光束は撮影光学画像として撮像部（ＣＣＤやＣＭＯＳ）１１２面上に結像する。その撮影光学画像は、撮像部１１２によって光電変換され撮像信号となる。
【００１３】
１１３はタイミングジェネレータであり、撮像部１１２の蓄積動作、読み出し動作及びリセット動作などを制御する。１１４は撮像部１１２の蓄積電荷ノイズを低減するＣＤＳ回路（２重相関サンプリング回路）、１１５は撮像信号を増幅するゲインコントロール回路である。１１６は増幅された撮像信号をアナログからデジタルの画像データへ変換するＡ／Ｄ変換器である。１１７は映像信号処理回路であり、Ａ／Ｄ変換器１１６でデジタル化された画像データに、フィルタ処理、色変換処理及びガンマ処理などを行う。映像信号処理回路１１７で信号処理された画像信号はバッファメモリ１１８に格納され、ＬＣＤ１１９に表示されたり、着脱可能なメモリカード１２０に記録される。
【００１４】
操作部１２１はカメラの撮影モードの設定や、記録画像ファイルサイズの設定などを行うための操作スイッチである。レリーズＳＷ１２２は、撮影時のレリーズを行うための２段ストロークスイッチである。カメラシステム制御用ＭＰＵ１０７はカメラ本体１０１の上記動作を制御するほか、カメラ本体１０１側のインターフェース回路１２３及び交換レンズ１０２側のインターフェース回路１２４を介して、レンズＭＰＵ１２５と相互に通信する。この通信では、交換レンズ１０２へフォーカス駆動命令を送信したり、デジタルカメラ本体１０１や交換レンズ１０２内部の動作状態や光学情報などのデータを送受信したりする。
【００１５】
交換レンズ１０２には、撮影光学系の一部として、フォーカスレンズ１２６、ズームレンズ１２７、像振れ補正用レンズ１２８、ＮＤフィルター１２９、絞り１３０が配置されている。フォーカスレンズ１２６は、レンズＭＰＵ１２５からの制御信号によりフォーカス制御回路１３１及びフォーカスレンズ駆動用モータ１３２を介して駆動される。フォーカス制御回路１３１には、フォーカスレンズ駆動回路のほか、フォーカスレンズの移動に応じたゾーンパターン信号やパルス信号を出力するフォーカスエンコーダなども含まれている。被写体距離はこのフォーカスエンコーダにより検知することができる。
【００１６】
ズームレンズ１２７は、撮影者が不図示のズーム操作環を操作することにより移動する。ズームエンコーダ１３３はズームレンズの移動に応じたゾーンパターン信号を出力する。撮影像倍率は、レンズＭＰＵ１２５がフォーカスエンコーダとズームエンコーダ１３３からの信号を読み取り、被写体距離と焦点距離の組み合わせにより予め記憶されている撮影像倍率データを読み出すことによって得られる。
【００１７】
像振れ補正レンズ１２８は、像振れ補正制御回路１３４、リニアモータ１３５を介して駆動される。像振れ補正は、次のようにして行われる。すなわち、回転振れを検出する角速度センサ１３６の振れ信号が信号処理回路１３７で信号処理されレンズＭＰＵ１２５に入力される。レンズＭＰＵ１２５は、補正レンズ駆動目標信号を算出し、この補正レンズ駆動目標信号と補正レンズエンコーダ１３８から出力される補正レンズ位置信号との差に応じた駆動信号を像振れ補正制御回路１３４に出力する。
【００１８】
像振れ補正は、このように補正レンズエンコーダ１３８から出力される補正レンズ位置信号を像振れ補正制御回路１３４にフィードバックすることで行われる。なお上記の像振れ補正制御は、カメラ本体１０１を中心として、上下方向の傾きを検出するためのピッチ軸、左右方向の傾きを検出するためのヨー軸の２軸それぞれにおいて行われる。
【００１９】
絞り１３０は、レンズＭＰＵ１２５からの制御信号により絞り制御回路１３６及びステッピングモータ１３７を介して駆動される。ＮＤフィルター１２９は絞り１３０の近郊に配置されており、ＮＤ制御回路１３８及びボイスコイルモータ１３９により駆動され、光路中に自在に挿抜可能である。また、不図示のフォトインタラプタにより、ＮＤフィルターが挿入されているか否かの判断をレンズＭＰＵ１２５は判断可能である。
【００２０】
ＡＭスイッチ１４０はレンズ１０２をオートフォーカスで動作させるかマニュアルフォーカスで動作させるかの選択スイッチで、ＩＳスイッチ１４１は、手ぶれ補正機能を動作させるかどうかを選択するスイッチである。ＮＤＳＷ１４２はＮＤフィルタの動作モードを選択するスイッチであり、ＯＦＦ，ＯＮ，露光中のみＯＮを選択できる３ポジションスイッチとなっている。
【００２１】
次に図１、図２及び図３を用いて実施例１のＮＤフィルタ使用時の動作について説明をする。まず、レンズ側の動作を図２を用いて説明する。
【００２２】
（ステップ＃２０１）  レンズに具備されたＮＤフィルタの動作モード選択スイッチ１４２が、ユーザーにより「ＯＦＦ」と選択されると、ステップ＃２０２へ進む。それ以外ではステップ＃２０５へ進む。
【００２３】
（ステップ＃２０２）  ＮＤフィルタの不使用が選択されているため、レンズＭＰＵ１２５は、ＮＤフィルタ１２９がすでに光路内に挿入されているかどうかを確認する。不図示のフォトインタラプタの信号により、ＮＤフィルタ１２９が光路内に挿入されている事を確認した場合は、ステップ＃２０３へ、挿入されていない場合はステップ＃２０４へ進む。
【００２４】
（ステップ＃２０３）  ＮＤフィルタ１２９が既に光路内に挿入されているため、レンズＭＰＵ１２５はＮＤ制御回路１３８を介してボイスコイルモータ１３９を動作させＮＤフィルタ１２９を光路外へ抜出する。
【００２５】
（ステップ＃２０４）  ここでＡＤＤ＿ＮＤフラグをＯＦＦにセットし、レンズ側の動作が終了する。このフラグはカメラから随時参照され、「露光中のみＮＤフィルタを使用する」事をカメラに伝えるためのフラグである。
【００２６】
（ステップ＃２０５）  ステップ＃２０１において、ＮＤフィルタの動作モードが「ＯＦＦ」以外を選択されており、かつ「露光中のみＯＮ」が選択されていた場合はステップ＃２０７へ、そうではなく「ＯＮ」が選択されていた場合はステップ＃２０６へすすむ。
【００２７】
（ステップ＃２０６）  ユーザーによりＮＤフィルタの動作モードが「ＯＮ」に設定されているため、ＮＤフィルタ１２９を光路内へ挿入する。この後はステップ＃２０４へすすみ、動作を終了する。
【００２８】
（ステップ＃２０７）  ユーザーによりＮＤフィルタの動作モードが「露光中のみＯＮ」と選択されていた場合は、ここでＡＤＤ＿ＮＤフラグをＯＮにセットする。
【００２９】
（ステップ＃２０８）  カメラ１０１の２段ストロークレリーズＳＷ１２２の１段目がユーザーにより押されると、レンズＭＰＵ１２５はカメラＭＰＵ１０７から信号を受け取り、レンズＭＰＵ１２５はＳＷ１ＯＮフラグをＯＮさせる。また２段目のスイッチがユーザーにより押されると、同様にしてレンズＭＰＵ１２５はＳＷ２ＯＮフラグをＯＮさせる。ここでＳＷ２ＯＮフラグを参照し、ＯＮになっていたらステップ＃２０９へ進み、ＯＦＦであれば動作を終了する。
【００３０】
（ステップ＃２０９）  ＳＷ２ＯＮフラグがＯＮとなりカメラが露光準備となったため、レンズＭＰＵ１２５はＮＤフィルタ１２９を光路内へ挿入する。
【００３１】
（ステップ＃２１０）  露光が完了するまでをＳＷ２ＯＮフラグを参照し判断する。ＳＷ２ＯＮフラグがＯＦＦになるまで待機し、ＳＷ２ＯＮフラグがＯＦＦになったらステップ＃２１１へ進む。
【００３２】
（ステップ＃２１０）  露光が完了したので、ＮＤフィルタ１２９を光路外へ抜出し、レンズ側動作を終了する。
【００３３】
次にカメラ側の動作を図３を用いて説明する。
【００３４】
（ステップ＃３０１）  ユーザーによりレリーズＳＷ１２２の１段目が押されたかどうかを判断する。押された場合はステップ＃３０２へ進み、押されていない場合は動作を終了する。
【００３５】
（ステップ＃３０２）  カメラＭＰＵ１０７は測光回路１０６を介して、レンズ１０２の光路を通ってきた光を測光してＡＥ制御を行い、適正露出となるように絞り値、シャッター速度、ＩＳＯ感度を設定する。ここで、絞り値、シャッター速度、ＩＳＯ感度のどのパラメータを変化させるかは、ユーザーにより設定されている撮影モードにより異なる。例えば絞り値優先モードがユーザーにより指定されていた場合は、シャッター速度を変化させる事により適正露出となるようにＡＥ制御を行う。
【００３６】
（ステップ＃３０３）  ここで、レンズＭＰＵ１２５から受信したＡＤＤ＿ＮＤフラグがＯＮかどうかを判断する。ＯＮであればステップ＃３０４へ、ＯＦＦであればステップ＃３０５へ進む。
【００３７】
（ステップ＃３０４）  ＡＤＤ＿ＮＤフラグがＯＮであるため、カメラＭＰＵ１０７は、露光タイミングでレンズＭＰＵ１２５がＮＤフィルタを光路内へ挿入すると判断する。ＡＤＤ＿ＮＤフラグがＯＮとなっている時、カメラＭＰＵ１０７はレンズＭＰＵ１２５から、レンズ１０２へ搭載されているＮＤフィルタの減光段数や、ＮＤフィルタを挿入する事により変動するピント移動量等のデータを受信する。受信したデータを元にし、カメラＭＰＵ１０７は、測光した結果にＮＤフィルタによる減光分を加味して測光情報を更新してＡＥ制御を行う。例えば、ＮＤフィルタ１２９が１段分の減光効果を持つフィルタであり、カメラの撮影モードが絞り優先モードであった場合は、ＮＤフィルタにより１段分減光されるため、シャッタースピードを半分に設定し、適正露出を維持する。
【００３８】
（＃ステップ３０５）  測光された内容を元に、絞り値、シャッター速度などの設定値を光学ファインダー１０５内の液晶やＬＣＤ１１９への表示を行う。
【００３９】
上記により、ユーザーによりＮＤフィルタの使用が「露光中のみＯＮ」に指示されていた場合、ＮＤフィルタは露光のタイミングでのみ挿入される事となり、ファインダーを明るく保ち、構図の確認がしやすいという効果を得る事が出来る。また、ファインダーやＬＣＤへ表示される絞り値、シャッター速度等の情報は、ＮＤフィルタが挿入される事を考慮したものとなっているため、ユーザーはＮＤフィルタを挿入する効果を確認する事が出来る。
【００４０】
（実施例２）
次に図１、図４及び図５を用いて本発明の実施例２について説明を行う。まず、レンズの動作を図４を用いて説明する。ここでステップ＃４０１からステップ＃４０９は、実施例１の図２のステップ＃２０１からステップ＃２０９と同じなため、説明を省略しステップ＃４１０より説明する。また、カメラの動作は実施例１と同様なために説明を省略する。
【００４１】
（ステップ＃４１０）  ユーザーによりＮＤフィルタの動作選択ＳＷが「露光中のみＯＮ」にセットされ、かつＳＷ２ＯＮフラグがＯＮとなった場合、ＮＤフィルタ１２９が光路内へ挿入される。ここでＳＷ２ＯＮフラグがＯＦＦとなるまで待機し、ＯＦＦとなったらステップ＃４１１へ進む。
【００４２】
（ステップ＃４１１）  ＳＷ２ＯＮフラグがＯＦＦとなり、露光が終了する。ここでユーザーが連写撮影モードで撮影を行っている場合、カメラはすぐに次の測光と露光を行う。そのため、ＮＤフィルタの抜出と挿入を繰り返す事は連写速度の低下にもつながるため、連写撮影中はＮＤフィルタの抜出を行わないように制御を行う。図５に連続撮影時に設定されるＳＷ１ＯＮフラグ、ＳＷ２ＯＮフラグ、連写中フラグの関係を示す。ユーザーによりカメラを連写撮影モードに設定され、レリーズＳＷ１２２を２段目まで押しっぱなしにされると、図５の如くフラグが変化する。すなわち、ステップ＃４１０でＳＷ２ＯＮフラグがＯＦＦとなったタイミングで露光が終了するが、この時点で連写中フラグがＯＮの場合はステップ＃４１２へ進み、次の露光の準備を行う。また、連写中フラグがＯＮではない場合は、撮影終了であるためステップ＃４１３へ進む。
【００４３】
（ステップ＃４１２）  連写撮影されているため、ＮＤフィルタの抜出を行わないように設定する。ＡＤＤ＿ＮＤフラグをＯＦＦにセットし、カメラにはＮＤフィルタを通った実際の測光値でＡＥ制御を行わせる。次にステップ＃４１０へ戻り、次の露光が終了するまで待機する。
【００４４】
（ステップ＃４１３）  ステップ＃４１２でＡＤＤ＿ＮＤフラグがＯＦＦされている可能性があるため、ここでＡＤＤ＿ＮＤフラグをＯＮする。
【００４５】
（ステップ＃４１４）  撮影が終了したためＮＤフィルタを光路外へ抜出し、レンズの動作を終了する。
【００４６】
上記により、ユーザーによりＮＤフィルタの使用が「露光中のみＯＮ」に指示されていた場合、ＮＤフィルタは露光のタイミングでのみ挿入される事となり、ファインダーを明るく保ち、構図の確認がしやすいという効果を得る事が出来る。また、ファインダーやＬＣＤへ表示される絞り値、シャッター速度等の情報は、ＮＤフィルタが挿入される事を考慮したものとなっているため、ユーザーはＮＤフィルタを挿入する効果を確認する事が出来る。また、連写中にはＮＤフィルタを光路外へ抜出しないようにしたため、連写速度の低下や撮影品位の低下を防ぐ事が出来る。
【００４７】
以上、本発明の好ましい実施形態について説明したが、本発明はこれらの実施形態に限定されず、その要旨の範囲内で種々の変形及び変更が可能である。
【符号の説明】
【００４８】
１０１  カメラ本体、１０２  交換レンズ、１０３  クイックリターンミラー、
１０５  光学ファインダー、１０６  測光回路、１０７  カメラＭＰＵ、
１１９  ＬＣＤ、１２２  レリーズＳＷ、１２３  カメラ側インターフェース回路、
１２４  レンズ側インターフェース回路、１２５  レンズＭＰＵ、
１２９  ＮＤフィルター、１３８  ＮＤ制御回路、１３９  ボイスコイルモータ、
１４２  ＮＤフィルター動作モード選択スイッチ
【図５】
2016014797.tif 000003
【図１】
2016014797.tif 000004
【図２】
2016014797.tif 000005
【図３】
2016014797.tif 000006
【図４】
2016014797.tif 000007